(57)【要約】【課題】下枠内部に雨水が入り難く、建て付け後の下ヒンジの位置調整が容易にできるドアを提供する。【解決手段】下枠９と、ベースプレート１９と、裏板２１と、下ヒンジ１３とを備え、下枠９は上面９ａにねじ挿通孔２５が形成してあり、ベースプレート１９は、下枠９の中空部２３に固定してあり、裏板２１は、下枠９の中空部２３に設けてベースプレート１９の所定範囲内で、前後左右方向に移動自在に位置規制されており、下ヒンジ１３は下枠９の上面９ａに配置して、下枠９の上面９ａのねじ挿通孔２５を挿通するねじで裏板２１に固定してある。【選択図】図１
2015086609.tif 000002
【特許請求の範囲】
【請求項１】
下枠と、ベースプレートと、裏板と、下ヒンジとを備え、下枠は上面にねじ挿通孔が形成してあり、ベースプレートは、下枠内部に固定してあり、裏板は、下枠内部に設けてベースプレートの所定範囲内で、前後左右方向に移動自在に位置規制されており、下ヒンジは下枠上面に配置して、下枠上面のねじ挿通孔を挿通するねじで裏板に固定してあることを特徴とするドア。
【発明の詳細な説明】
【技術分野】
【０００１】
本発明は、ドアに関する。
【背景技術】
【０００２】
図１２に示すように、従来のドアでは、下枠１０１に切除部１０５を形成し、裏板１０３を下枠１０１の内部に配置して、ねじで下枠に固定し、裏板１０３の上に下ヒンジ１０７をねじ１０４で固定し、その上に軸１０９を固定していた。更に、切除部１０５を塞ぐためのカバー材１１１を用いていた。
【先行技術文献】
【特許文献】
【０００３】
【特許文献１】なし
【発明の概要】
【発明が解決しようとする課題】
【０００４】
しかし、従来のドアでは、下枠１０１に切除部１０５を形成しているので、切除部１０５から下枠１０１の内部に雨水が入り易くなる為、水仕舞いが大掛りになるという不都合があった。
また、建て付け後に下ヒンジ１０７の位置を調整する場合には、カバー材１１１を外して、下ヒンジ１０７と裏板１０３の取り付け位置を調整しなければならず、作業が煩雑になるとう問題があった。
【０００５】
そこで、本発明は、下枠内部に雨水が入り難く、建て付け後の下ヒンジの位置調整が容易にできるドアの提供を目的とする。
【課題を解決するための手段】
【０００６】
請求項１に記載の発明は、下枠と、ベースプレートと、裏板と、下ヒンジとを備え、下枠は上面にねじ挿通孔が形成してあり、ベースプレートは、下枠内部に固定してあり、裏板は、下枠内部に設けてベースプレートの所定範囲内で、前後左右方向に移動自在に位置規制されており、下ヒンジは下枠上面に配置して、下枠上面のねじ挿通孔を挿通するねじで裏板に固定してあることを特徴とするドアである。
【発明の効果】
【０００７】
請求項１に記載の発明によれば、下枠には下ヒンジを止めるねじ挿通孔を形成するだけであり、従来技術のような下枠に裏板を呑み込む切除部を形成する場合に比較して、下枠内部に雨水が入り難い。
裏板は前後左右方向が所定範囲内で移動自在であると共に移動範囲が規制されているので、下枠の上面に配置した下ヒンジを裏板にねじ止めし易く、建て付け後の下ヒンジの調整が下枠の上面から容易にできる。
【図面の簡単な説明】
【０００８】
【図１】本発明の実施の形態にかかるドアの下枠を示す図であり、（ａ）は下ヒンジを取り付けた下枠の縦断面図、（ｂ）は（ａ）に示すベースプレートと裏板とを抜き出して示す平面図である。
【図２】図１に示すベースプレートの図であり、（ａ）は室外側から見た正面図、（ｂ）は平面図、（ｃ）裏面図、（ｄ）は側面図である。
【図３】図１に示す裏板の図であり、（ａ）は平面図、（ｂ）は側面図、（ｃ）は正面図である。
【図４】図１に示す座板の図であり、（ａ）は平面図、（ｂ）は側面図である。
【図５】図１に示すねじを取り付けた下ヒンジの図であって、（ａ）は平面図、（ｂ）は側面図である。
【図６】図１に示す下枠であって、下ヒンジを取付ける部分の平面図である。
【図７】図９に示すＡ部の拡大図である。
【図８】図７に示すドア端部カバー材受けを室外側から見た正面図である。
【図９】図１１に示すＥ−Ｅ縦断面である。
【図１０】図１１に示すＦ−Ｆ縦断面である。
【図１１】本発明の実施の形態にかかるドアを室外側から見た正面図である。
【図１２】従来技術における下ヒンジを取り付けた下枠の図であり、（ａ）は平面図、（ｂ）は（ａ）に示すＡ−Ａ断面図である。
【発明を実施するための形態】
【０００９】
以下に、添付図面を参照して本発明の実施の形態を説明する。図１１に示すように、本発明の実施の形態に係るドア１は、枠３と扉５とを備えており、図９に示すように、扉５は上枠７と下枠９との間で吊元側に設けた上ヒンジ１１と下ヒンジ１３により、枠３に対して回動自在に支持されている。
図１及び図５に示すように、下ヒンジ１３は下枠９の上面９ａに取り付ける取付部１７と、扉５の下端に設けたヒンジ受け１４（図９参照）に挿入する下ピボット軸１５とを備えている。
図１に示すように、下枠９は中空部（内部）２３を有し、中空部２３内にベースプレート１９と、裏板２１とが設けてあり、下枠９の上面９ａには、座板２４が取り付けてある。
図１（ｂ）及び図６に示すように、下枠９の上面９ａには、ねじ挿通孔２５が形成されており、ねじ挿通孔２５に下ヒンジ１３の取付部１７を下枠９に止めるヒンジ固定ねじ２７の軸２７ａが挿通されている。ねじ挿通孔２５は、四角形状の孔であり、ヒンジ固定ねじ２７の軸２７ａが所定範囲で前後左右に移動自在な寸法になっている。
【００１０】
図１及び図２に示すように、ベースプレート１９は、本体部３１と、左方向規制部３３ａと、右方向規制部３３ｂと、前方向規制部３５ａと後方向規制部３５ｂとを備えている。
本体部３１は下枠９の中空部２３内の下面２３ａの前側に載置する前側載置部３１ａと、中空部の前後方向中間部に載置する中間載置部３１ｂと、中間載置部３１ｂの後側に設けた取付部３１ｃとを有し、取付部３１ｃは、下枠９に室内側から止めるベースプレート固定ねじ２９で中空部２３に固定してある。
図２に示すように、左方向規制部３３ａ及び右方向規制部３３ｂは、裏板２１が左右方向に移動するのを規制するものであり、前側載置部３１ａの左側端と右側端に各々上方に突設してある。
前方向規制部３５ａは、中間載置部３１ｂの左右側端に各々上方に突設して形成してあり、且つ左方向規制部３３ａと右方向規制部３３ｂとの間よりも内側の位置に対応して設けてある。
後方向規制部３５ｂは、中間載置部３１ｂと取付部３１ｂとの間で中間載置部３１ｂから上方に立ち上がった左右方向の壁部である。
【００１１】
図１及び図３に示すように、裏板２１は、ヒンジ取付部４１と左右方向被規制部４３と前後方向被規制部４５とを有し、ヒンジ取付部４１と、左右方向被規制部４３と、前後方向被規制部４５とで縦断面が略コ字形状を成している。
ヒンジ取付部４１には、ヒンジ固定ねじ２７が螺合する雌ねじ孔３７が形成してある。図３（ａ）に示すように、雌ねじ孔３７は、ヒンジ取付部４１において、左右方向の中央縁Ｐを線対象として左右に４個ずつ形成してある。
図１に示すように、左右方向被規制部４３は、ベースプレート１９の左右方向規制部３３ａ、３３ｂ間に配置している。
前後方向被規制部４５は、ベースプレート１９の前方向規制部３５ａ、３５ｂと、後方向規制部３５ｃとの間に位置している。
座板２４は、図４に示すように、平面視四角形状であり、ヒンジ固定ねじ２７の軸部２７ａを挿通するねじ挿通孔３９が形成されている。ねじ挿通孔３９は前後に配置した２つのヒンジ固定ねじ２７の軸部２７ａを収納可能な長方形形状に形成してあり、合計２つのねじ挿通孔３９が形成されている。
【００１２】
次に、裏板２１の位置規制について説明する。図１（ｂ）に示すように、左方向規制部３３ａは左右方向被規制部４３との間に間隔Ｌ１をあけて対向しており、右方向規制部３３ｂは左右方向被規制部４３との間に間隔Ｌ２の間隔をあけて対向しており、裏板２１は、間隔Ｌ１と間隔Ｌ２を合計した寸法分を、左右方向に移動自在に位置規制されている。
前後方向被規制部４５は、前方向規制部３５ａと後方向規制部３５ｂとの間に位置して、前方向規制部３５ａとの間の間隔Ｍ１と、後方向規制部３５ｂとの間の間隔Ｍ２とを合計した寸法分を前後に移動自在に位置規制されている。
【００１３】
ここで、扉端部カバー材７１について説明する。図１０及び図１２に示すように、扉５の下端には吊元側部を除く左右方向に亘って扉端部カバー材７１が取り付けてある。
図７に示すように、この扉端部カバー材７１は、扉５の下端の室外側面に取り付けた扉端部カバー材受け７３に固定してある。
扉端部カバー材７１は、見付け面部７５と上面部７７と下面部７９とを有する断面略コ字形状を成す軟質樹脂材製であり、見付け面部７５には室内側に向けて突設する嵌合部８１が形成されている。また、上面部７７と下面部７９とには、各々扉端部カバー材受け７３に形成された被係合部８３に係合する係合部８５が形成されている。
扉端部カバー材７１の下面部７９は、扉５の下端見込み面のコーナー部を覆うように室内側に突出する見込み面部７９ａが形成されており、この見込み面部７９ａは、扉端部カバー材受け７３に装着する前の状態（図８に二点鎖線で示す）のときに角度Ｒで上方に傾斜してあり、扉端部カバー材受け７３に装着したときに扉下端の見込み面にぴったりと当接するようにしてある。
扉端部カバー材受け７３は、リベット８７で扉５の下端部に固定してあり、図８に示すように、位置決め孔７３ａと、位置調整可能な長孔７３ｂとが形成されている。
図１０に示すように、端部カバー材受け７３の左右両端には、各々キャップ８９が装着してある。
【００１４】
次に、下ヒンジ１３の下枠９への取付、建て付け後の位置調整及び作用効果について説明する。
図１に示すように、ベースプレート１９の左方向規制部３３ａと右方向規制部３３ｂとの間に裏板２１の左右被規制部４３を配置し且つ前後方向被規制部４５を前方向規制部３５ａと後方向規制部３５ｂとの間に配置して、ベースプレート１９に裏板２１を組み付ける。
その後、裏板２１を組み付けたベースプレート１９を下枠９の端から中空部２３内に挿入して、ベースプレート１９の取付部３１ｃをベースプレート固定ねじ２９で下枠９に固定する。
一方、下枠９の上面９ａには座板２４を配置し、下枠９の前後２つのねじ挿通孔２５に座板２４のねじ挿通孔３９が対応する位置で、座板２４をねじ４９で固定する。
そして、下ヒンジ１３の取付部１７にヒンジ固定ねじ２７を挿通して、ヒンジ固定ねじ２７の軸部２７ａを座板２４のねじ挿通孔３９と下枠９のねじ挿通孔２５とに挿通して裏板２１の雌ねじ孔３７に緩く止め、下ヒンジ１３を裏板２１と共に前後左右に移動させて位置を調整したところで、ヒンジ固定ねじ２７を締め付けて下ヒンジ１３を固定する。
このように下枠９に下ヒンジ１３を固定した後、下ヒンジ１３の下ピボット軸１５に扉５の下端を挿入して、扉５の上端に予め設けた上ヒンジ１１の上ピボット軸を上枠７のヒンジ受けに挿入して、枠３内に扉５を建て付ける。
【００１５】
扉５を枠３に建て付けた後に、例えば、経年変化等により下ピボット軸１５の位置を調整する場合には、下枠９の上面から下ヒンジ１３を固定しているヒンジ固定ねじ２７を緩め、下ヒンジ１３を裏板２１と共に前後左右に移動して位置調整をする。そして、位置を調整したところで、ヒンジ固定ねじ２７を締め付ける。
【００１６】
本実施の形態によれば、下枠９には下ヒンジ１３を止めるヒンジ固定ねじ２７のねじ挿通孔２５を形成するだけであるから、従来技術のような下枠に裏板を呑み込む切除部を形成する場合に比較して、下枠９の内部に雨水が入り難い。
裏板２１は、ベースプレート１９に載置され、ベースプレート１９の所定範囲内で前後左右方向で位置規制されているので、下ヒンジ１３を止めるヒンジ固定ねじ２７を裏板２１に止め易い。
扉５を枠３に建て付けた後に、下ピボット軸１５の位置を調整する場合には、下枠９の上面から行なうことができるので、建て付け後の位置調整が容易である。
更に、下ヒンジ１３の位置調整は、下ヒンジ１３を止めているヒンジ固定ねじ２７を緩めて下ヒンジ１３を裏板２１と共に前後左右に移動させて位置調整できるので、この点においても位置調整が容易である。
【００１７】
裏板２１は左右を線対称にして雌ねじ３７を形成しているから、左右反転して用いることができる。
扉端部カバー材７１を扉下端部に設けることにより、足のつま先等に、扉５の下端部が当たった場合に、足が傷付くのを防止できる。
扉下端の見込み面に、扉端部カバー材７１の見込み面部７９ａを設けているので、足の小さな子供等のつまさきが扉下端と下枠９との間に挟まった場合にも足が傷付くのを防止できる。
【００１８】
本発明は、上述した実施の形態に限らず、本発明の要旨を逸脱しない範囲で種々変形可能である。
例えば、ベースプレート１９には、前方向規制部３５ａを設けないで、下枠９の中空部２３の室外側壁を前方向規制部としても良い。この場合には裏板２１の左右方向被規制部４３が前方向被規制部となる。
座板２４は、下枠９の上面９ａに下枠９の長手方向に亘って設け、下枠９の上面９ａの傷付き防止として用いても良い。
【符号の説明】
【００１９】
１    ドア
９    下枠
９ａ  上面
１９  ベースプレート
２１  裏板
２３  中空部（内部）
２５  ねじ挿通孔
２７  ヒンジ固定ねじ
３３ａ  左方向規制部
３３ｂ  右方向規制部
３５ａ  前方向規制部
３５ｂ  後方向規制部
４３    左右方向被規制部
４５    前後方向被規制部
【図１】
2015086609.tif 000003
【図２】
2015086609.tif 000004
【図３】
2015086609.tif 000005
【図４】
2015086609.tif 000006
【図５】
2015086609.tif 000007
【図６】
2015086609.tif 000008
【図７】
2015086609.tif 000009
【図８】
2015086609.tif 000010
【図９】
2015086609.tif 000011
【図１０】
2015086609.tif 000012
【図１１】
2015086609.tif 000013
【図１２】
2015086609.tif 000014